【事件の表示】
　特願２０１３−５１８４５３「円錐台メニスカス壁を備えるレンズ」拒絶査定不服審判事件〔平成２４年　１月１２日国際公開、ＷＯ２０１２／００５９２２、平成２５年１０月１０日国内公表、特表２０１３−５３８３６１、請求項の数（２９）〕について、次のとおり審決する。
【結　論】
　原査定を取り消す。
　本願の発明は、特許すべきものとする。
【理　由】
第１　手続の経緯
　本願は、２０１１年（平成２３年）６月１６日（パリ条約による優先権主張外国庁受理２０１０年６月２９日、米国　２０１１年５月３１日、米国）を国際出願日とする出願であって、平成２７年３月２日付けで拒絶の理由が通知され、同年６月４日付けで意見書が提出されるとともに誤訳訂正及び手続補正がなされ、同年１０月３０日付けで拒絶査定がなされ、これに対して、平成２８年３月９日付けで拒絶査定不服審判が請求されるとともに、手続補正がなされたものである。
第２　原査定の概要
　原査定（平成２７年１０月３０日付け拒絶査定）の概要は次のとおりである。
　本願請求項１−３０に係る発明は、本願の優先権主張の日（以下、「優先日」という。）前に日本国内又は外国において頒布された、以下の引用文献１−４に基づいて、その発明の属する技術の分野における通常の知識を有する者（以下、「当業者」という。）が容易に発明をすることができたものであり、特許法第２９条第２項の規定により特許を受けることができない。
引用文献等一覧
１．特表２００７−５２６５１７号公報
２．特表２００２−５４０４６４号公報
３．米国特許出願公開第２００１／００１７９８５号明細書
４．特開２００６−１７８４６９号公報
第３　本願発明
　本願の請求項１−２９に係る発明（以下、それぞれ「本願発明１」−「本願発明２９」という。）は、平成２８年３月９日付けの手続補正で補正された特許請求の範囲の請求項１−２９に記載された事項により特定されるとおりのものと認められる。
　そのうち、本願発明１は以下のとおりである。
「光学レンズであって、
　前方湾曲レンズ外面及び前方湾曲レンズ内面を備える前方湾曲レンズであって、前記前方湾曲レンズ外面及び前記前方湾曲レンズ内面の両方が、弓形形状を備える、前方湾曲レンズと、
　後方湾曲レンズ内面及び後方湾曲レンズ外面を備える後方湾曲レンズであって、前記後方湾曲レンズ内面及び前記後方湾曲レンズ外面の両方が、弓形形状を備え、前記前方湾曲レンズ内面及び前記後方湾曲レンズ内面がそれらの間に空洞を形成するように、前記前方湾曲レンズに隣接して位置する、後方湾曲レンズと、
　前記前方湾曲レンズ内面と前記後方湾曲レンズ内面との間に形成される前記空洞内に収容されるある体積の生理食塩水溶液及び油であって、それらの間にメニスカスを構成する、ある体積の生理食塩水溶液及び油と、
　前記前方湾曲レンズ及び後方湾曲レンズのうちの１つ又は両方に形成される円錐台の形状を備え、かつ前記生理食塩水溶液と油との間に形成される前記メニスカスの境界をなすメニスカス壁と、
　前記メニスカス壁に隣接する、第１の角部および第２の角部であって、前記第１の角部および第２の角部が前記メニスカスの移動において境界として機能することによって、前記メニスカス壁に沿った前記メニスカスの移動が、前記第１の角部と前記第２の角部との間で生じるようにした、第１の角部および第２の角部と、を備え、
　前記前方湾曲レンズ及び前記後方湾曲レンズのうちの１つ又は両方を通るチャネルと、前記チャネルを充填する導電材料と、を更に備える、光学レンズ。」
　なお、本願発明２ないし本願発明２９は、本願発明１の構成に対して、さらに他の構成を付加した発明である。
第４　引用文献、引用発明等
１　引用文献１について
　原査定の拒絶の理由に引用された引用文献１には、図面とともに次の事項が記載されている。
（１）「【０００１】
　本発明は、可変焦点レンズの分野に関する。本発明は、特に、しかし、排他的にではなく、眼内の又は移植された目のレンズへの、及び、目の外部の表面における配置のためのコンタクトレンズへの、用途を有する。
・・・略・・・
【発明の開示】
【発明が解決しようとする課題】
【００１０】
　本発明の目的は、生体適合性であると共に相対的に効率的な様式で変動させることができる焦点屈折力を有する可変焦点レンズを提供することである。
【課題を解決するための手段】
【００１１】
　本発明と一致して、透明な後部の壁、透明な前部の壁、その透明な前部の壁とその透明な後部の壁との間に形成された空洞、前記の空洞内に含有された屈折率を異ならせる第一の及び第二の不混和性の流体、並びに、二つの流体の間の流体のメニスカスの曲率を変化させるために電圧を印加することができる電極を含む、目のための可変焦点レンズであって、ここで、少なくとも、そのレンズの後部の壁は、生体適合性の材料を含み、その材料は、その目とのそのレンズの生体適合性を提供する、可変焦点レンズが、提供される。
【００１２】
　その流体のメニスカスの曲率を変化させることによって、並びに、第一の及び第二の流体の屈折率の適切な選択によって、その前部の壁及びその後部の壁を介して、その可変焦点レンズを通過する光を、相対的に大きい範囲の焦点屈折力にわたって、可変に焦点調節することができる。それらレンズの動作は、その電圧の印加が、エレクトロウェッティング（electrowetting）の原理に基づくものであり、その原理においては、そのメニスカスが、ある一定の曲率を採用することを引き起こすエレクトロウェッティングの力を提供する。その電圧の変動は、この曲率の変動と共に、その結果として、相対的に効率的な且つ単純な様式でそのレンズの焦点屈折力における変動を引き起こす。
・・・略・・・
【００１５】
　その流体のメニスカスの曲率によって提供された焦点屈折力を補完する固定した焦点屈折力をレンズに提供するために、その前部の壁及びその後部の壁の少なくとも一方の、曲面の曲率を、選択することができる。
・・・略・・・
【００２０】
　本発明の好適な実施形態においては、そのレンズは、ヒトの目の外部の表面における配置のためにコンタクトレンズの形態にある。
【００２１】
　その前部の壁が凸状であると共にその後部の壁が凹状であると共に少なくともその後部の壁が生体適合性の材料を含むと、そのコンタクトレンズを、ヒトの目の外部の表面に置くことができる。この方式で、そのヒトの欠陥のある視覚を、外科的な手順の必要無しに、相対的に単純な様式で改善することができる。
【００２２】
　本発明の実施形態と一致した移植されたレンズ又はコンタクトレンズは、ヒトの欠陥のある視覚が、そのヒトが、異なる水準の焦点屈折力を要求する異なる対象をはっきり眺めることができるように、改善されることを可能にする。
・・・略・・・
【００２５】
　本発明の一つの実施形態においては、その流体のメニスカスは、それら前部の及び後部の壁の一方とのある接触角を有し、その接触角は、その流体のメニスカスの曲率を決定すると共に、ここでは、少なくとも、それら電極の第一のものが、その電圧の制御された用途を通じてその流体のメニスカスとその壁との間の接触角の変動を可能とするために、そのレンズに位置決めされると共に、それによって、その流体のメニスカスの曲率を変える。
【００２６】
　本発明の好適な実施形態においては、第一の電極は、その前部の壁に置かれる。
【００２７】
　そのレンズの前部の壁に第一の電極を置くことによって、その可変焦点レンズ構築は、相対的に小型である。これは、そのレンズが、その目の外部の表面に移植される又は代わりに置かれることを可能にする、必要な大きさの規準を、そのレンズが、その焦点の変動の効率を減少させることなく、満たすことを可能にする。
【００２８】
　本発明の好適な実施形態においては、第一の及び第二の流体は、実質的に同一の比重のものである。
【００２９】
　第一の及び第二の流体が実質的に同一の比重のものであると、そのレンズは、正しく機能するために、一定の配向を有することを必要としない。
【００３０】
　本発明の好適な実施形態においては、その流体のメニスカスの曲率は、容量性の結合、誘導性の結合、又は光学的な結合の一つを介して、それら電極にその電圧を印加することによって、変動させられる。
【００３１】
　そのヒトは、その流体のメニスカスへ印加された電圧を変動させることによって、彼ら又は彼女らの目に移植された又は置かれたレンズの焦点を作動させると共に制御することができる。容量性の、誘導性の、又は光学的な結合の方法を使用してその電圧を変動させることによって、その焦点を制御するためのそのレンズの給電を、そのヒトが、本発明のレンズそれ自体と接触することを必要としないように、その目に対して遠方で行うことができる。付加的に、それら結合方法は、そのレンズの動作が、相対的に単純な且つ効率的なものであるように、その焦点の制御が、自動的に又はそのヒトによる要求次第で制御されることを可能にする。」
（２）「【００３３】
　図１から３は、本発明の実施形態と一致した可変焦点レンズ２を示す。図１、２及び３は、それぞれ、凸状の、平面の、及び凹状の曲率を有するレンズ２の流体のメニスカス４を、それぞれ、示す。
この実施形態においては、可変焦点レンズ２は、（示唆されない）ヒトの目の外部の表面における配置のためのコンタクトレンズ２の形態にある。
【００３４】
　図１を参照して、
レンズ２は、透明な前部の壁６及び透明な後部の壁８を含む。
前部の壁６は、前部の壁６が、凸状の曲面１０を有するように、凸状の曲率を有する。後部の壁８は、後部の壁８が、凹状の曲面１２を有するように、凹状の曲率を有する。
前部の壁及び後部の壁６，８は、
焦点屈折力を有するレンズを形成する。
【００３５】
　
前部の壁６の周辺部及び後部の壁８の周辺部は、空洞１４を形成するために、接合する領域Ｊで接合される。
空洞１４は、不混和性である、第一の流体１６及び第二の流体１７を含有し、
流体のメニスカス４は、二つの流体１６，１７を分離するために、第一の流体１６と第二の流体１７との間に存在する。
第一の流体１６は、非導電性の油、例えば、シリコーン油であり、その油は、第二の流体１７と前部の壁６との間の空洞１４に配置されると共に、第二の流体１７は、低い濃度を有する、電解質、例えば、塩及び水の混合物であり、その電解質は、第一の流体１６と後部の壁８との間に空洞１４に配置される。この例では、その低い濃度は、水中のおおよそ０．９％のＮａＣｌの生理学的な（ヒトの体に基づいた）塩の溶液のものに対応する。
【００３６】
　第一の及び第二の流体１６，１７は、各々、実質的に同一の比重を有する。付加的に、第一の及び第二の流体１６，１７は、各々、コンタクトレンズ２が、欠陥のある視覚の正の及び／又は負の色収差を改善することができるように、（材料のアッベ（Abbe）数によって示唆された）所望の光学的な分散を有する。
【００３７】
　
第一の電極１８は、輪状であると共に、前側の壁６の内側の表面１９の周辺部のまわりに延在するために前部の壁６に置かれる。
内側の表面１９は、電気的に絶縁するもの且つ疎水性である、材料、例えば、Ｄｕ　Ｐｏｎｔ（登録商標）によって生産されたＴｅｆｌｏｎ（登録商標）　ＡＦ　１６００の層２０で被覆される。第二の電極２１は、後部の壁８の内側の表面２２に置かれると共に、第二の流体１７と直接的に接触して存在する。
第一の及び第二の電極１８，２１は、
電圧源の系２４へ電気的に接続される。
【００３８】
　
流体のメニスカス４は、流体のメニスカス４の曲率を決定する前部の壁６との接触角βを有する。
第一の電極１８及び第二の電極２１は、流体のメニスカス４の曲率を変えるために、その電圧の制御された印加を通じた接触角ｂの大きさの変動を可能とするため
【００３９】
　図２は、平面の曲率を有する流体のメニスカス４を示す。適切な異なる電圧は、接触角βが、そのメニスカスの曲率が平面であるように、図１に示したものよりも大きいものであるように、第一の及び第二の電極１８，２１へ印加される。
【００４０】
　図３は、前部の壁６から眺めたとき凹状の曲率を有する流体のメニスカス４を示す。適切な異なる電圧は、接触角βが、そのメニスカスの曲率が、凹状であるように、図１及び２に示したものよりも大きいものであるように、第一の及び第二の電極１８，２１へ印加される。
【００４１】
　ある好適な実施形態においては、メニスカス４が、コンタクトレンズ２を受容する目の角膜のものと曲率の同じ符号を有することが、予見される。
【００４２】
　
印加された電圧の変動と共に、異なる大きさの接触角βを、
メニスカス４のさらに異なる曲率を得るために、達成することができる
・・・略・・・
【００４４】
　この実施形態と一致したコンタクトレンズ２を着用する患者は、
無線の様式で電圧源の系２４を使用してレンズ２の可変な焦点を作動させると共に制御することができる。
・・・略・・・
【００５８】
　上に記載したように、その流体のメニスカスは、前部の壁との接触角を形成する。さらなる実施形態においては、そのメニスカスは、代わりに、その後部の壁と接触角を形成することもあることが、予見される。さらなる代替の実施形態においては、第一の流体は、その後部の壁とそのメニスカスとの間に配置されると共に、第二の流体は、その前部の壁とそのメニスカスとの間に配置される。それら流体の配置は、そのレンズが正の焦点屈折力を提供するか又は負の焦点屈折力を提供するかを決定することもある。」
（３）「【図１】
【図２】
【図３】
」
　【図１】ないし【図３】からは、「透明な前部の壁６」の外面及び内面に位置する「凸状の曲面１０」及び「内側の表面１９」の断面が弓形形状であり、「透明な後部の壁８」の外面及び内面に位置する「凹状の曲面１２」及び「内側の表面２２」の断面が弓形形状である構成が看取される。
（４）上記（１）ないし（３）から、引用文献１には次の発明（以下、「引用発明」という。）が記載されているものと認められる。
「透明な前部の壁６及び透明な後部の壁８を含み、
　前部の壁６は、凸状の曲面１０を有するように、凸状の曲率を有し、
　後部の壁８は、凹状の曲面１２を有するように、凹状の曲率を有し、
　前部の壁及び後部の壁６，８は、焦点屈折力を有するレンズを形成し、
　前部の壁６の外面及び内面に位置する凸状の曲面１０及び内側の表面１９の断面が弓形形状であり、
　後部の壁８の外面及び内面に位置する凹状の曲面１２及び内側の表面２２の断面が弓形形状であり、
　前部の壁６の周辺部及び後部の壁８の周辺部は、空洞１４を形成するために、接合する領域Ｊで接合され、
　空洞１４は、不混和性である、第一の流体１６及び第二の流体１７を含有し、
　流体のメニスカス４が、第一の流体１６と第二の流体１７との間に存在し、
　第一の流体１６は、非導電性の油、例えば、シリコーン油であり、その油は、第二の流体１７と前部の壁６との間の空洞１４に配置され、
　第二の流体１７は、低い濃度を有する、電解質、例えば、塩及び水の混合物であり、その電解質は、第一の流体１６と後部の壁８との間に空洞１４に配置され、その低い濃度は、水中のおおよそ０．９％のＮａＣｌの生理学的な（ヒトの体に基づいた）塩の溶液のものに対応し、
　第一の電極１８は、輪状であると共に、前側の壁６の内側の表面１９の周辺部のまわりに延在するために前部の壁６に置かれ、
　内側の表面１９は、電気的に絶縁するもの且つ疎水性である、材料、例えば、Ｄｕ　Ｐｏｎｔ（登録商標）によって生産されたＴｅｆｌｏｎ（登録商標）　ＡＦ　１６００の層２０で被覆され、
　第二の電極２１は、後部の壁８の内側の表面２２に置かれると共に、第二の流体１７と直接的に接触し、
　第一の及び第二の電極１８，２１は、電圧源の系２４へ電気的に接続され、
　流体のメニスカス４は、流体のメニスカス４の曲率を決定する前部の壁６との接触角βを有し、
　第一の電極１８及び第二の電極２１は、流体のメニスカス４の曲率を変えるために、その電圧の制御された印加を通じた接触角βの大きさの変動を可能とし、
　印加された電圧の変動と共に、異なる大きさの接触角βを、メニスカス４のさらに異なる曲率を得るために、達成することができ、
　無線の様式で電圧源の系２４を使用してレンズ２の可変な焦点を作動させると共に制御することができる、
　ヒトの目の外部の表面における配置のためのコンタクトレンズ２の形態にある可変焦点レンズ２。」
２　引用文献２について
　原査定の拒絶の理由に引用された上記引用文献２の段落【００４４】及び【図１１】の記載からみて、当該引用文献２には「格納装置４の下部にくぼみ６を備え、軸０を中心としたくぼみ６は円錐台であって、絶縁性液体２の滴は、くぼみ６の中に位置するとき、軸０を中心とした位置Ａをとること」が記載されている。
３　引用文献３について
　原査定の拒絶の理由に引用された上記引用文献３の段落［０１７７］〜［０１８５］及びＦｉｇ．２１Ａ〜Ｆｉｇ．２３Ｂの記載からみて、当該引用文献３には「液体の厚みが光学軸方向に沿って減少した状態で容器に収容された光学要素であって、容器の側壁が、より薄いユニットを形成するために角度ψで傾斜されている側壁を有した光学要素。」が記載されている。
４　引用文献４について
　原査定の拒絶の理由に引用された上記引用文献４の【請求項１】、段落【００２５】〜【００３４】及び【図４】〜【図７】の記載からみて、当該引用文献４には「光軸を有する可変焦点レンズであって、導電性液体（５）および絶縁性液体（４）を収容するチャンバを画定するハウジングを備え、２つの液体が、異なる屈折率を有し、且つ印加される電圧（Ｖ）に応じて、ハウジングの壁部に沿って移動させられる周縁部を有する変形可能な屈折面（６）を備える接触面を形成するように互いに接触し、ハウジングが、レンズの光軸（Δ）に直角をなす平面に対して第１の角度で傾斜する上側壁部分（１６）と、前記平面に対して、第１の角度よりも大きい第２の角度で傾斜する下側壁部分（３４、４８、５２）と、上側壁部分と下側壁部分との間の接合ゾーン（Ｂ’）とを備え、接合ゾーンにおけるハウジングの表面が、レンズの光軸に対して直角をなす平面に対して、印加電圧のある増分量の増大時に、前記接合ゾーンにおける、変形可能屈折面の移動を実質的に阻止するのに充分な壁部傾斜の変化を呈する、可変焦点レンズ。」が記載されている（以下、「引用文献４記載技術」という。）。
第５　当審の判断
１　本願発明１について
（１）対比
　本願発明１と引用発明とを対比すると、以下のことが言える。
ア　引用発明の「透明な前部の壁６」は、「焦点屈折力を有するレンズを形成」しているので、本願発明の「前方湾曲レンズ」に相当する。
イ　引用発明の「透明な前部の壁６」（本願発明１の「前方湾曲レンズ」に相当。以下「」に続く（）内の用語は、対応する本願発明１の用語を表す。）は、「前部の壁６の外面及び内面に位置する凸状の曲面１０及び内側の表面１９の断面が弓形形状」であるので、本願発明の「前方湾曲レンズ外面及び前方湾曲レンズ内面を備える前方湾曲レンズであって、前記前方湾曲レンズ外面及び前記前方湾曲レンズ内面の両方が、弓形形状」である構成を備える。
ウ　引用発明の「透明な後部の壁８」は、「焦点屈折力を有するレンズを形成」しているので、本願発明の「後方湾曲レンズ」に相当する。
エ　引用発明の「透明な後部の壁８」（後方湾曲レンズ）は、「後部の壁８の外面及び内面に位置する凹状の曲面１２及び内側の表面２２の断面が弓形形状」であるので、本願発明の「後方湾曲レンズ内面及び後方湾曲レンズ外面を備える後方湾曲レンズであって、前記後方湾曲レンズ内面及び前記後方湾曲レンズ外面の両方が、弓形形状」である構成を備える。
オ　引用発明の「透明な後部の壁８」（後方湾曲レンズ）は、その周辺部で「前部の壁６の周辺部」と「空洞１４を形成するために、接合する領域Ｊで接合され」るものであるから、引用発明の「空洞１４」は、「内側の表面１９」（前方湾曲レンズ内面）と、「内側の表面２２」（後方湾曲レンズ内面）との間に形成されているものである。（なお、引用文献１の【図１】ないし【図３】からも看取されることである。）
カ　上記オから、引用発明の「空洞１４」は、本願発明１の「空洞」に相当するとともに、引用発明の「透明な後部の壁８」（後方湾曲レンズ）は、本願発明１と同様に「前記前方湾曲レンズ内面及び前記後方湾曲レンズ内面がそれらの間に空洞を形成するように、前記前方湾曲レンズに隣接して位置する」との構成を具備する。
キ　引用発明の「第一の流体１６」は、「非導電性の油、例えば、シリコーン油」であるので、本願発明１の「油」に相当する。
ク　引用発明の「第一の流体１６」（油）は、「空洞１４に配置され」るものであるので、本願発明１と同様に「前記前方湾曲レンズ内面と前記後方湾曲レンズ内面との間に形成される前記空洞内に収容されるある体積の」ものである。
ケ　引用発明の「第二の流体１７」は、「低い濃度を有する、電解質、例えば、塩及び水の混合物」であって、「その低い濃度は、水中のおおよそ０．９％のＮａＣｌの生理学的な（ヒトの体に基づいた）塩の溶液のものに対応」するものであるから、本願発明の「生理食塩水溶液」に相当する。
コ　引用発明の「第二の流体１７」（生理食塩水溶液）は、「空洞１４に配置」されるものであるので、本願発明１と同様に「前記前方湾曲レンズ内面と前記後方湾曲レンズ内面との間に形成される前記空洞内に収容されるある体積の」ものである。
サ　引用発明の「第一の流体１６」（油）と「第二の流体１７」（生理食塩水溶液）との間に「流体のメニスカス４」が存在しているので、引用発明の「第一の流体１６」（油）と「第二の流体１７」（生理食塩水溶液）は、本願発明１と同様に「それらの間にメニスカスを構成する」ものである。
シ　引用発明の「可変焦点レンズ２」は、「ヒトの目の外部の表面における配置のためのコンタクトレンズ２の形態」であるから、本願発明１の「光学レンズ」に相当する。
ス　上記アないしシからみて、本願発明１と引用発明とは、
「光学レンズであって、
　前方湾曲レンズ外面及び前方湾曲レンズ内面を備える前方湾曲レンズであって、前記前方湾曲レンズ外面及び前記前方湾曲レンズ内面の両方が、弓形形状を備える、前方湾曲レンズと、
　後方湾曲レンズ内面及び後方湾曲レンズ外面を備える後方湾曲レンズであって、前記後方湾曲レンズ内面及び前記後方湾曲レンズ外面の両方が、弓形形状を備え、前記前方湾曲レンズ内面及び前記後方湾曲レンズ内面がそれらの間に空洞を形成するように、前記前方湾曲レンズに隣接して位置する、後方湾曲レンズと、
　前記前方湾曲レンズ内面と前記後方湾曲レンズ内面との間に形成される前記空洞内に収容されるある体積の生理食塩水溶液及び油であって、それらの間にメニスカスを構成する、ある体積の生理食塩水溶液及び油と、を備える、
光学レンズ。」である点（以下、「一致点」という。）で一致し、次の点で相違する。
　
・相違点１：
　本願発明１は、「前記前方湾曲レンズ及び後方湾曲レンズのうちの１つ又は両方に形成される円錐台の形状を備え、かつ前記生理食塩水溶液と油との間に形成される前記メニスカスの境界をなすメニスカス壁と、前記メニスカス壁に隣接する、第１の角部および第２の角部であって、前記第１の角部および第２の角部が前記メニスカスの移動において境界として機能することによって、前記メニスカス壁に沿った前記メニスカスの移動が、前記第１の角部と前記第２の角部との間で生じるようにした、第１の角部および第２の角部」を備えているのに対し、
　引用発明は、生理食塩水溶液と油との間に形成されるメニスカスの境界をなすメニスカス壁及びメニスカス壁に隣接する角部を備えていない点。
・相違点２：
　本願発明１は、「前記前方湾曲レンズ及び前記後方湾曲レンズのうちの１つ又は両方を通るチャネルと、前記チャネルを充填する導電材料」を備えているのに対し、
　引用発明は、第一の及び第二の電極１８，２１が、電圧源の系２４へ電気的に接続されてはいるものの、前方湾曲レンズ及び後方湾曲レンズのうちの１つ又は両方を通るチャネルを備え、当該チャネルを充填する導電材料を備えているかどうか不明な点。
（２）相違点についての判断
　上記相違点１について検討する。
ア　引用発明において「流体のメニスカス４」は、「流体のメニスカス４の曲率を決定する前部の壁６との接触角βを有し」ている。
イ　さらに、引用発明は、「第一の電極１８及び第二の電極２１は、流体のメニスカス４の曲率を変えるために、その電圧の制御された印加を通じた接触角βの大きさの変動を可能」とするものである。
ウ　そして、引用文献１の【図１】ないし【図３】は、上記アの「流体のメニスカス４の曲率を決定する前部の壁６との接触角β」を、上記イの「第一の電極１８及び第二の電極２１」の「電圧の制御された印加を通じ」て変動させた際の変化を示す図であるところ、前記「流体のメニスカス４」は、「前部の壁６」と接触する部分が、「接触角βの大きさの変動」により、移動している。
エ　上記ウからみて、引用文献１の「流体のメニスカス４」の「前部の壁６」と接触する部分が、「接触角βの大きさの変動」により移動している範囲は、本願発明１の「メニスカス壁」に、一応のところ、相当するようにみえる。
オ　一方、引用文献４には、上記「第４　４」で示した引用文献４記載技術が記載されている。
カ　ここで、引用文献４記載技術は、変形可能屈折面が電圧の印加に伴ってハウジング壁部を移動する際に、ハウジング壁部の屈曲点（引用文献４の【図２】の「点Ｂ」。）の通過前後で、変形可能屈折面とハウジング壁部との接触角が大きく異なるために、印加される電圧と変形可能屈折面の移動関係が整合されずに、「電圧値Ｖについてのレンズの収束を制御することは不可能」（引用文献４の段落【０００９】を参照。）となることを課題としている。
キ　しかしながら、引用文献１には、上記エで示した本願発明１の「メニスカス壁」に一応のところ相当する範囲において、「流体のメニスカス４」と「メニスカス壁」に相当する範囲との接触角が大きく異なる屈曲点を有しておらず、そうすると上記カで示した引用文献４と同様の課題が発生することはない。
ク　引用文献１には、上記エで示した本願発明１の「メニスカス壁」に相当する範囲を限定すること、すなわち「メニスカス壁」に相当する範囲の両端に、「流体のメニスカス４」の移動を阻害する部位を設けることについての記載ないし示唆はない。
ケ　さらに、引用発明は、「印加された電圧の変動」により「異なる大きさの接触角β」とすることで、「メニスカス４のさらに異なる曲率を得」て、結果として「レンズ２の可変な焦点を作動させる」ものであるところ、要すれば、「流体のメニスカス４の曲率を決定する前部の壁６との接触角β」を異ならせることができれば良いものであるので、引用文献１全体の記載からも、「流体のメニスカス４」の「前部の壁６」と接触する部分の範囲を制限することについて読み取ることができない。
コ　上記キないしクから、引用文献１は、引用文献４と同様の課題を有しておらず、引用文献１の記載全体をみても、「流体のメニスカス４」の「前部の壁６」と接触する部分の範囲を制限することについての記載及び示唆はないことから、引用文献１には、引用発明に上記オで示した引用文献４記載技術を適用するための動機がない。
サ　さらに、引用発明の「前部の壁６」（前方湾曲レンズ）の「内側の表面１９」（前方湾曲レンズ内面）は、既に凹形状となっていて、油が定められた位置に維持されている（センタリングされている）から、引用発明の「内側の表面１９」（前方湾曲レンズ内面）に、引用文献２に記載された技術事項を適用する動機を見いだすことができない。
シ　上記エで示した引用文献１の「メニスカス壁」に相当する範囲は、「流体のメニスカス４」（メニスカス）に対して傾斜した形状を有しているところ、さらに引用文献３に記載された技術を適用することで光学レンズ全体を薄くすることができるとは考えることができず、そうすると、引用発明の「内側の表面１９」（前方湾曲レンズ内面）に、引用文献３に記載された技術事項を採用する動機も見出せない。
ス　したがって、上記カないしコで示したように、引用文献１に記載された可変焦点レンズは、引用文献４に開示された課題を有しておらず、また当該課題が本願の優先日前に、エレクトロウェッティングによる可変焦点レンズにおいて、当業者が通常有していた課題といえるだけの証拠も存在しないから、引用発明に上記オで示した引用文献４記載技術を、当業者が適用することが容易であるということはできない。
セ　さらに、上記サ及びシで示したように、引用文献１に記載された可変焦点レンズは、引用文献２又は３に記載された技術事項を適用する動機も有していないため、当業者が、引用発明に引用文献２又は３に記載された技術事項を適用することが容易であるということはできない。
ソ　以上のことから、上記相違点２について判断するまでもなく、本願発明は、当業者であっても、引用発明、引用文献２、引用文献３及び引用文献４に記載された事項に基づいて容易に発明できたものであるとはいえない。
２　本願発明２ないし本願発明２９について
　本願発明２ないし本願発明２９は、本願発明１の記載を、直接又は間接に引用するものであり、本願発明１の「前記前方湾曲レンズ及び後方湾曲レンズのうちの１つ又は両方に形成される円錐台の形状を備え、かつ前記生理食塩水溶液と油との間に形成される前記メニスカスの境界をなすメニスカス壁と、前記メニスカス壁に隣接する、第１の角部および第２の角部であって、前記第１の角部および第２の角部が前記メニスカスの移動において境界として機能することによって、前記メニスカス壁に沿った前記メニスカスの移動が、前記第１の角部と前記第２の角部との間で生じるようにした、第１の角部および第２の角部」の構成を備えるものであるから、上記「１　（２）」で示したように、本願発明１と同じ理由により、当業者であっても、引用発明、引用文献２、引用文献３及び引用文献４に記載された事項に基づいて容易に発明できたものであるとはいえない。
第６　原査定の理由（特許法第２９条第２項）について
　本願発明１ないし本願発明２９は、「前記前方湾曲レンズ及び後方湾曲レンズのうちの１つ又は両方に形成される円錐台の形状を備え、かつ前記生理食塩水溶液と油との間に形成される前記メニスカスの境界をなすメニスカス壁と、前記メニスカス壁に隣接する、第１の角部および第２の角部であって、前記第１の角部および第２の角部が前記メニスカスの移動において境界として機能することによって、前記メニスカス壁に沿った前記メニスカスの移動が、前記第１の角部と前記第２の角部との間で生じるようにした、第１の角部および第２の角部」の構成を備えるものとなっており、当業者であっても、拒絶査定において引用された引用文献１−４に基づいて、容易に発明できたものとは認められない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。